【手続補正書】
【提出日】平成19年12月20日(2007.12.20)
【手続補正１】
【補正対象書類名】特許請求の範囲
【補正対象項目名】全文
【補正方法】変更
【補正の内容】
【特許請求の範囲】
【請求項１】
ＩＰネットワークに接続され音声通話機能を有するＩＰ電話装置と、ＩＰ電話装置において対応可能なファイル転送プロトコルがＩＰ電話装置毎に格納されたＮＡＰＴＲリソースレコードを登録し、いずれかのＩＰ電話装置の問合せに応じて問合せ先のＩＰ電話装置のＮＡＰＴＲリソースレコードを返送するＥＮＵＭサーバと、を具備するＩＰ電話システムであって、発信側のＩＰ電話装置は、着信側のＩＰ電話装置のＮＡＰＴＲリソースレコードを前記ＥＮＵＭサーバに問い合わせて取得するとともに前記着信側のＩＰ電話装置と接続し、前記取得したＮＡＰＴＲリソースレコードに格納されたファイル転送プロトコルを用いて当該接続中の着信側のＩＰ電話装置に対してデータファイルを転送することを特徴とするＩＰ電話システム。
【請求項２】
前記発信側のＩＰ電話装置は、着信側のＩＰ電話装置との音声通話中にファイル転送の指示を受けてファイル転送を開始しファイル転送が終了した後に通話終了の指示を受けた場合には着信側のＩＰ電話装置との間で確立されたコネクションを切断することを特徴とする請求項１記載のＩＰ電話システム。
【請求項３】
前記発信側のＩＰ電話装置は、着信側のＩＰ電話装置との音声通話中にファイル転送の指示を受けてファイル転送を開始しファイル転送が終了する前に通話終了の指示を受けた場合には当該ファイル転送が終了するまで着信側のＩＰ電話装置との間で確立されたコネクションを維持することを特徴とする請求項１記載のＩＰ電話システム。
【請求項４】
ＩＰネットワーク上のＩＰ電話装置において対応可能なファイル転送プロトコルがＩＰ電話装置毎に格納されたＮＡＰＴＲリソースレコードを登録するＥＮＵＭサーバに接続可能なＩＰ電話装置であって、ＩＰネットワーク上の他のＩＰ電話装置のＮＡＰＴＲリソースレコードを前記ＥＮＵＭサーバに問い合わせて取得するとともに前記他のＩＰ電話装置と接続するＩＰ電話制御部と、前記取得したＮＡＰＴＲリソースレコードに格納されたファイル転送プロトコルを用いてデータファイルを当該接続中の他のＩＰ電話装置に対して転送するファイル転送部と、を具備することを特徴とするＩＰ電話装置。
【請求項５】
ＩＰネットワーク上のＩＰ電話装置において対応可能なファイル転送プロトコル及び当該ＩＰ電話装置のアドレス情報がＩＰ電話装置毎に格納されたＮＡＰＴＲリソースレコードを登録するＥＮＵＭサーバに接続可能なＩＰ電話装置であって、音声通話の指示に応じてＩＰネットワーク上の他のＩＰ電話装置のＮＡＰＴＲリソースレコードを前記ＥＮＵＭサーバに問い合わせて取得し前記取得したＮＡＰＴＲリソースレコードのアドレス情報に基づいて前記他のＩＰ電話装置と接続するＩＰ電話制御部と、前記他のＩＰ電話装置と音声通話中にファイル転送の指示を受けると前記取得したＮＡＰＴＲリソースレコードに格納されたファイル転送プロトコルを用いてデータファイルを当該他のＩＰ電話装置に対して転送するファイル転送部と、を具備することを特徴とするＩＰ電話装置。
【請求項６】
前記ＩＰ電話制御部は、前記他のＩＰ電話装置と音声通話中に、前記ファイル転送部によるファイル転送が開始され、このファイル転送が終了した後に通話終了の指示を受けた場合には前記他のＩＰ電話装置との間で確立されたコネクションを切断することを特徴とする請求項４または請求項５に記載のＩＰ電話装置。
【請求項７】
前記ＩＰ電話制御部は、前記他のＩＰ電話装置と音声通話中に、前記ファイル転送部によるファイル転送が開始され、このファイル転送が終了する前に通話終了の指示を受けた場合においては当該ファイル転送が終了するまで前記他のＩＰ電話装置との間で確立されたコネクションを維持することを特徴とする請求項４または請求項５に記載のＩＰ電話装置。
【請求項８】
ＩＰネットワーク上のＩＰ電話装置において対応可能なファイル転送プロトコルがＩＰ電話装置毎に格納されたＮＡＰＴＲリソースレコードを登録するＥＮＵＭサーバに接続可能なＩＰ電話装置であって、ＩＰネットワーク上の他のＩＰ電話装置のＮＡＰＴＲリソースレコードを前記ＥＮＵＭサーバに問い合わせて取得するとともに前記他のＩＰ電話装置と音声通話を行い、音声通話中にファイル転送の指示を受けるとファイル転送終了まで音声パケットの送受信を停止するＩＰ電話制御部と、ファイル転送の指示を受けると前記取得したＮＡＰＴＲリソースレコードに格納されたファイル転送プロトコルを用いてデータファイルを当該他のＩＰ電話装置に対して転送するファイル転送部と、を具備することを特徴とするＩＰ電話装置。
【請求項９】
ＩＰネットワーク上のＩＰ電話装置において対応可能なファイル転送プロトコルがＩＰ電話装置毎に格納されたＮＡＰＴＲリソースレコードを登録するＥＮＵＭサーバに接続可能なＩＰ電話装置を用いたファイル転送方法であって、ＩＰネットワーク上の他のＩＰ電話装置のＮＡＰＴＲリソースレコードを前記ＥＮＵＭサーバに問い合わせて取得するとともに前記他のＩＰ電話装置と接続し、前記取得したＮＡＰＴＲリソースレコードに格納されたファイル転送プロトコルを用いて当該接続中の他のＩＰ電話装置に対してデータファイルを転送することを特徴とするファイル転送方法。
【請求項１０】
前記他のＩＰ電話装置と音声通話中に、前記他のＩＰ電話装置に対するファイル転送が開始され、このファイル転送を終了した後に通話終了の指示を受けた場合には前記他のＩＰ電話装置との間で確立されたコネクションを切断することを特徴とする請求項９記載のファイル転送方法。
【請求項１１】
前記他のＩＰ電話装置と音声通話中に、前記他のＩＰ電話装置に対するファイル転送が開始され、このファイル転送が終了する前に通話終了の指示を受けた場合には当該ファイル転送が終了するまで前記他のＩＰ電話装置との間で確立されたコネクションを維持することを特徴とする請求項９記載のファイル転送方法。
【請求項１２】
前記他のＩＰ電話装置と音声通話中に、前記他のＩＰ電話装置に対するファイル転送が開始されたときファイル転送終了まで音声パケットの送受信を停止し前記取得したＮＡＰＴＲリソースレコードに格納されたファイル転送プロトコルを用いて前記他のＩＰ電話装置に対してデータファイルを転送することを特徴とする請求項９記載のファイル転送方法。
【手続補正２】
【補正対象書類名】明細書
【補正対象項目名】０００８
【補正方法】変更
【補正の内容】
【０００８】
本発明は、ＩＰネットワークに接続され音声通話機能を有するＩＰ電話装置と、ＩＰ電話装置において対応可能なファイル転送プロトコルがＩＰ電話装置毎に格納されたＮＡＰＴＲリソースレコードを登録し、いずれかのＩＰ電話装置の問合せに応じて問合せ先のＩＰ電話装置のＮＡＰＴＲリソースレコードを返送するＥＮＵＭサーバと、を具備するＩＰ電話システムであって、発信側のＩＰ電話装置は、着信側のＩＰ電話装置のＮＡＰＴＲリソースレコードを前記ＥＮＵＭサーバに問い合わせて取得するとともに前記着信側のＩＰ電話装置と接続し、前記取得したＮＡＰＴＲリソースレコードに格納されたファイル転送プロトコルを用いて当該接続中の着信側のＩＰ電話装置に対してデータファイルを転送するようにしたものである。
【手続補正３】
【補正対象書類名】明細書
【補正対象項目名】００１０
【補正方法】変更
【補正の内容】
【００１０】
本発明の第１の態様に係るＩＰ電話システムは、ＩＰネットワークに接続され音声通話機能を有するＩＰ電話装置と、ＩＰ電話装置において対応可能なファイル転送プロトコルがＩＰ電話装置毎に格納されたＮＡＰＴＲリソースレコードを登録し、いずれかのＩＰ電話装置の問合せに応じて問合せ先のＩＰ電話装置のＮＡＰＴＲリソースレコードを返送するＥＮＵＭサーバと、を具備するＩＰ電話システムであって、発信側のＩＰ電話装置は、着信側のＩＰ電話装置のＮＡＰＴＲリソースレコードを前記ＥＮＵＭサーバに問い合わせて取得するとともに前記着信側のＩＰ電話装置と接続し、前記取得したＮＡＰＴＲリソースレコードに格納されたファイル転送プロトコルを用いて当該接続中の着信側のＩＰ電話装置に対してデータファイルを転送する構成を採る。
【手続補正４】
【補正対象書類名】明細書
【補正対象項目名】００１１
【補正方法】変更
【補正の内容】
【００１１】
この構成によれば、問合せに対して返送されたＮＡＰＴＲリソースレコードに格納されたファイル転送プロトコルを用いて着信側のＩＰ電話装置に対してファイルを転送することができる。
【手続補正５】
【補正対象書類名】明細書
【補正対象項目名】００１２
【補正方法】変更
【補正の内容】
【００１２】
本発明の第２の態様は、第１の態様に係るＩＰ電話システムにおいて、前記発信側のＩＰ電話装置は、着信側のＩＰ電話装置との音声通話中にファイル転送の指示を受けてファイル転送を開始しファイル転送が終了した後に通話終了の指示を受けた場合には着信側のＩＰ電話装置との間で確立されたコネクションを切断する構成を採る。
【手続補正６】
【補正対象書類名】明細書
【補正対象項目名】００１４
【補正方法】変更
【補正の内容】
【００１４】
本発明の第３の態様は、第１の態様に係るＩＰ電話システムにおいて、前記発信側のＩＰ電話装置は、着信側のＩＰ電話装置との音声通話中にファイル転送の指示を受けてファイル転送を開始しファイル転送が終了する前に通話終了の指示を受けた場合には当該ファイル転送が終了するまで着信側のＩＰ電話装置との間で確立されたコネクションを維持する構成を採る。
【手続補正７】
【補正対象書類名】明細書
【補正対象項目名】００１６
【補正方法】変更
【補正の内容】
【００１６】
本発明の第４の態様に係るＩＰ電話装置は、ＩＰネットワーク上のＩＰ電話装置において対応可能なファイル転送プロトコルがＩＰ電話装置毎に格納されたＮＡＰＴＲリソースレコードを登録するＥＮＵＭサーバに接続可能なＩＰ電話装置であって、ＩＰネットワーク上の他のＩＰ電話装置のＮＡＰＴＲリソースレコードを前記ＥＮＵＭサーバに問い合わせて取得するとともに前記他のＩＰ電話装置と接続するＩＰ電話制御部と、前記取得したＮＡＰＴＲリソースレコードに格納されたファイル転送プロトコルを用いてデータファイルを当該接続中の他のＩＰ電話装置に対して転送するファイル転送部と、を具備する構成を採る。
この構成によれば、問合せに対して返送されたＮＡＰＴＲリソースレコードに格納されたファイル転送プロトコルを用いて着信側のＩＰ電話装置に対してファイルを転送することができる。
本発明の第５の態様に係るＩＰ電話装置は、ＩＰネットワーク上のＩＰ電話装置において対応可能なファイル転送プロトコル及び当該ＩＰ電話装置のアドレス情報がＩＰ電話装置毎に格納されたＮＡＰＴＲリソースレコードを登録するＥＮＵＭサーバに接続可能なＩＰ電話装置であって、音声通話の指示に応じてＩＰネットワーク上の他のＩＰ電話装置のＮＡＰＴＲリソースレコードを前記ＥＮＵＭサーバに問い合わせて取得し前記取得したＮＡＰＴＲリソースレコードのアドレス情報に基づいて前記他のＩＰ電話装置と接続するＩＰ電話制御部と、前記他のＩＰ電話装置と音声通話中にファイル転送の指示を受けると前記取得したＮＡＰＴＲリソースレコードに格納されたファイル転送プロトコルを用いてデータファイルを当該他のＩＰ電話装置に対して転送するファイル転送部と、を具備する構成を採る。
【手続補正８】
【補正対象書類名】明細書
【補正対象項目名】００１８
【補正方法】変更
【補正の内容】
【００１８】
本発明の第６の態様は、第４または第５の態様に係るＩＰ電話装置において、前記ＩＰ電話制御部は、前記他のＩＰ電話装置と音声通話中に、前記ファイル転送部によるファイル転送が開始され、このファイル転送が終了した後に通話終了の指示を受けた場合には前記他のＩＰ電話装置との間で確立されたコネクションを切断する構成を採る。
【手続補正９】
【補正対象書類名】明細書
【補正対象項目名】００２０
【補正方法】変更
【補正の内容】
【００２０】
本発明の第７の態様は、第４または第５の態様に係るＩＰ電話装置において、前記ＩＰ電話制御部は、前記他のＩＰ電話装置と音声通話中に、前記ファイル転送部によるファイル転送が開始され、このファイル転送が終了する前に通話終了の指示を受けた場合においては当該ファイル転送が終了するまで前記他のＩＰ電話装置との間で確立されたコネクションを維持する構成を採る。
【手続補正１０】
【補正対象書類名】明細書
【補正対象項目名】００２２
【補正方法】変更
【補正の内容】
【００２２】
本発明の第８の態様に係るＩＰ電話装置は、ＩＰネットワーク上のＩＰ電話装置において対応可能なファイル転送プロトコルがＩＰ電話装置毎に格納されたＮＡＰＴＲリソースレコードを登録するＥＮＵＭサーバに接続可能なＩＰ電話装置であって、ＩＰネットワーク上の他のＩＰ電話装置のＮＡＰＴＲリソースレコードを前記ＥＮＵＭサーバに問い合わせて取得するとともに前記他のＩＰ電話装置と音声通話を行い、音声通話中にファイル転送の指示を受けるとファイル転送終了まで音声パケットの送受信を停止するＩＰ電話制御部と、ファイル転送の指示を受けると前記取得したＮＡＰＴＲリソースレコードに格納されたファイル転送プロトコルを用いてデータファイルを当該他のＩＰ電話装置に対して転送するファイル転送部と、を具備する構成を採る。
【手続補正１１】
【補正対象書類名】明細書
【補正対象項目名】００２４
【補正方法】変更
【補正の内容】
【００２４】
本発明の第９の態様に係るファイル転送方法は、ＩＰネットワーク上のＩＰ電話装置において対応可能なファイル転送プロトコルがＩＰ電話装置毎に格納されたＮＡＰＴＲリソースレコードを登録するＥＮＵＭサーバに接続可能なＩＰ電話装置を用いたファイル転送方法であって、ＩＰネットワーク上の他のＩＰ電話装置のＮＡＰＴＲリソースレコードを前記ＥＮＵＭサーバに問い合わせて取得するとともに前記他のＩＰ電話装置と接続し、前記取得したＮＡＰＴＲリソースレコードに格納されたファイル転送プロトコルを用いて当該接続中の他のＩＰ電話装置に対してデータファイルを転送するものである。
【手続補正１２】
【補正対象書類名】明細書
【補正対象項目名】００２５
【補正方法】変更
【補正の内容】
【００２５】
本発明の第１０の態様は、第９の態様に係るファイル転送方法において、前記他のＩＰ電話装置と音声通話中に、前記他のＩＰ電話装置に対するファイル転送が開始され、このファイル転送を終了した後に通話終了の指示を受けた場合には前記他のＩＰ電話装置との間で確立されたコネクションを切断するものである。
【手続補正１３】
【補正対象書類名】明細書
【補正対象項目名】００２６
【補正方法】変更
【補正の内容】
【００２６】
本発明の第１１の態様は、第９の態様に係るファイル転送方法において、前記他のＩＰ電話装置と音声通話中に、前記他のＩＰ電話装置に対するファイル転送が開始され、このファイル転送が終了する前に通話終了の指示を受けた場合には当該ファイル転送が終了するまで前記他のＩＰ電話装置との間で確立されたコネクションを維持するものである。
【手続補正１４】
【補正対象書類名】明細書
【補正対象項目名】００２７
【補正方法】変更
【補正の内容】
【００２７】
本発明の第１２の態様は、第９の態様に係るファイル転送方法において、前記他のＩＰ電話装置と音声通話中に、前記他のＩＰ電話装置に対するファイル転送が開始されたときファイル転送終了まで音声パケットの送受信を停止し前記取得したＮＡＰＴＲリソースレコードに格納されたファイル転送プロトコルを用いて前記他のＩＰ電話装置に対してデータファイルを転送するものである。